(57)【特許請求の範囲】
【請求項１】
洗浄水によって洗浄される水洗便器であって、
洗浄水を貯留するロータンク本体と、
このロータンク本体の上に着脱自在に固定され且つその上面全体に手洗い鉢を形成する蓋と、
上記ロータンク本体へ洗浄水を給水する給水手段と、
この給水手段から分岐し且つ上記手洗い鉢の上方に吐水口を位置させるように延びる手洗い給水管と、を有し、
上記手洗い給水管は、上記ロータンク本体側面から上記手洗い鉢を迂回して配置されると共に、上記手洗い鉢の横幅寸法と奥行き寸法との最大範囲内で上記ロータンク本体から起立していることを特徴とする水洗便器。
【請求項２】
上記手洗い鉢の外周は楕円形状を有する請求項１記載の水洗便器。
【発明の詳細な説明】
【技術分野】
【０００１】
本発明は、水洗便器に係り、特に、ロータンク上に設けられたロータンクの蓋を兼ねる手洗い鉢への手洗給水管の構造を備えた水洗便器に関する。
【背景技術】
【０００２】
従来、手洗い鉢給水管は、ロータンク内に配置されたボールタップから、分岐した給水管と、手洗い鉢に固定されたスパウトとが分割された状態であり、手洗い鉢を構成した蓋をロータンクに組み付けることで上記スパウトに組み付けることで接続されるものであった。そのため、ロータンク内のメンテなどで、手洗い鉢を構成した蓋を外し、再び手洗い鉢を構成した蓋を閉める際に、給水管の接続が煩雑になるという不具合を有していた。給水管の接続部分にはシール構造が不可欠であり、パッキン材がめくれたり、所定位置に嵌合されなかった場合、図らずも漏水事故を発生させてしまう恐れがあった。このような不具合を解消するために、手洗い鉢の一部に切り欠きを形成し、ボールタップから分岐する手洗い給水管をそのまま手洗い鉢にまで、給水するものがある（例えば、特許文献１及び特許文献２参照）。
【０００３】
【特許文献１】実開昭４８−６２８３８号公報
【特許文献２】実開昭５８−６８７４公報
【発明の開示】
【発明が解決しようとする課題】
【０００４】
また、近年、トイレ空間内のスペースを有効に利用することが求められ、そのため、便器を設置する際のトイレ空間の便器後方の壁から便器の先端までの長さ（前出寸法）を極力短くすることが要望されている。
例えば、タンクに給水した洗浄水を利用して洗浄するロータンク式便器においては、ロータンクの幅も、その要望にこたえるべく、前後の幅が狭くなったものとなっている。また洋風大便器には、使用者の局部を洗浄する衛生洗浄装置が組み付けられることが一般的になりつつある。衛生洗浄装置においては、洗浄機能の充実だけでなく、脱臭や室内暖房のような付加機能や、使用する電気代の削減を目指した省エネルギー機能が付加されることが多くなっており、結果として衛生洗浄装置内部の機能部占有体積は年々大きくなりつつある。衛生洗浄装置上面に回動自在に設けられる便座と便ふたのヒンジ位置は上方に移動しがちである。結果として、便ふた開放時の便ふた先端は上方に移動し、使用者の手が手洗い鉢に対してアプローチするのを妨げがちになっている。そのため、ロータンクの蓋を手洗い鉢としたものでは、手洗い鉢のスペースが小さくなるだけでなく、使用者の手洗い鉢へのアプローチ方向を制限しがちであり、手洗い行為がやりにくくなるということが問題となっている。また、上述した特許文献１及び特許文献２に記載されているような従来の手洗い鉢の上面の領域より内方に手洗金具を設置するタイプにおいても、その不具合は、顕著であるという問題がある。
【０００５】
そこで、本発明は、上述した従来技術の問題点を解決するためになされたものであり、手洗い鉢のスペースと、使用者の手洗い鉢へのアプローチ方向を確保しつつ、トイレ空間内の便器の前出寸法を極力抑えた手洗い鉢付ロータンク構造を備えた水洗便器を提供することを目的としている。
【課題を解決するための手段】
【０００６】
上記の目的を達成するために、本発明は、洗浄水によって洗浄される水洗便器であって、洗浄水を貯留するロータンク本体と、このロータンク本体の上に着脱自在に固定され且つその上面全体に手洗い鉢を形成する蓋と、上記ロータンク本体へ洗浄水を給水する給水手段と、この給水手段から分岐し且つ上記手洗い鉢の上方に吐水口を位置させるように延びる手洗い給水管と、を有し、上記手洗い給水管は、上記ロータンク本体側面から上記手洗い鉢を迂回して配置されると共に、上記手洗い鉢の横幅寸法と奥行き寸法との最大範囲内で上記ロータンク本体から起立していることを特徴としている。
このように構成された本発明においては、蓋の上面全体を手洗い鉢として利用できるため、手洗い行為もしやすい。また、手洗い給水管がロータンク本体側面から手洗い鉢を迂回して配置されているため、メンテナンスの際には蓋の開閉に気を使う必要がない。また使用者の手洗い鉢へのアプローチ方向という面でも、自由度が広くなっている。さらに、手洗い給水管が、手洗い鉢の横幅寸法と奥行き寸法との最大範囲内でロータンク本体から起立していることにより、トイレ空間の有効スペースを効果的に利用することができる。また、便器と手洗い給水管との一体感を損なうことなく、意匠性に優れたものとなる。
【０００８】
本発明において、好ましくは、手洗い鉢の外周は楕円形状を有する。
このように構成された本発明においては、手洗い行為もしやすく、便器と手洗い給水管との一体感を損なうことなく、意匠性に優れたものとなる。また上記手洗い給水管を、上記ロータンク本体側面から上記手洗い鉢を迂回して配置しても、ロータンクを含む洋風大便器を平面図的に見た時の占有面積をはみ出すことは無く、結果的に使用していなかったスペースを有効活用することになる。
【発明の効果】
【０００９】
本発明の水洗便器によれば、手洗い鉢のスペースを確保しつつ、トイレ空間内の便器の前出寸法を抑えることができる。
【発明を実施するための最良の形態】
【００１０】
以下、添付図面により、本発明の実施形態による水洗便器を説明する。
まず、図１は本実施形態の水洗便器の断面図である。図１に示すように、符号１は水洗便器を示し、この水洗便器１の上部の前方側には、ボウル部２が形成され、後方側の上部には導水路４が、導水路４の下方にはボウル部２と連通する排水トラップ管路６が、それぞれ形成されている。
【００１１】
水洗便器１のボウル部２の上縁部にはオーバーハング形状のリム８が形成され、このリム８に導水路４から洗浄水が供給される１つ又は２つのリム吐水口１０が形成され、洗浄水が旋回しながら下降してボウル部２を洗浄できるようになっている。また、ボウル部２の中心下部には、導水路４から洗浄水が供給されるジェット吐水口１２が形成され、このジェット吐水口１２から洗浄水が排水トラップ管路６に向けて吐水され、サイホンを短時間で発生されるようになっている。
【００１２】
水洗便器１の導水路４の上方には、洗浄水を貯留するロータンク１４が設けられている。このロータンク１４の底面１４ａには、水洗便器１の導水路４と連通する連通口１４ｂが形成されている。
【００１３】
つぎに、図２及び図３により、ロータンク１４の詳細について説明する。図２はロータンクの内部を示す正面断面図であり、図３はロータンクの平面図である。
図２に示すように、ロータンク１４は、ロータンク１４の外枠を形成するロータンク本体１４ｃと、このロータンク本体１４ｃの上に着脱自在に固定され且つその上面に手洗い鉢１４ｄを形成する蓋１４ｅとを備えている。
ロータンク本体１４ｃは、洗浄水が貯留される内タンク１４ｆを含み、この内タンク１４ｆには、排水弁１６、オーバーフロー管１８、給水管２０、ボールタップ２２、及び、フロート２４が設けられている。ロータンク１４の上方に設けられた手洗い鉢１４ｄを形成する蓋１４ｅには給水接続機能はなく、仮に蓋１４ｅを取り外したり、再度取り付けたりする事態になっても、その接続作業の良否によって漏水事故が発生することがないようになっている。
【００１４】
具体的には、排水弁１６は、大洗浄用の弁体１６ａと小洗浄用の弁体１６ｂからなり、両弁体１６ａ，１６ｂは、ロータンク１４の底面１４ａの連通口１４ｂの部分に設けられている。また、各弁体１６ａ，１６ｂは、操作レバー２６に接続された玉鎖２８ａ，２８ｂにそれぞれ接続されており、操作レバー２６を操作して大洗浄又は小洗浄を切り替えることにより、大洗浄用の弁体１６ａ又は小洗浄用の弁体１６ｂの開閉操作が行われるようになっている。
【００１５】
この排水弁１６は、閉操作により洗浄水をロータンク本体１４ｃの内タンク１４ｆ内に貯水し、開操作により、ロータンク本体１４ｃの内タンク１４ｆ内の洗浄水を水洗便器１の導水路４を経由して、リム吐水口１０及びジェット吐水口１２に導くようになっている。
【００１６】
また、オーバーフロー管１８は、その上端に開口１８ａが形成されその下端が排水弁１６の弁座１６ｃに連通するように設けられている。このオーバーフロー管１８により、洗浄水の水位が万一上昇しても、開口１８ａから、洗浄水がオーバーフローし、排水弁１６の弁座１６ａを経由して、さらに、水洗便器１の導水路４を経て、リム吐水口１０とジェット吐水口１２から、ボウル部２内に排出されるようになっている。
【００１７】
さらに、給水管２０は、ロータンク１４の底面１４ａに取り付けられ、外部の水道等の給水源（図示せず）に接続され、洗浄水をロータンク本体１４ｃの内タンク１４ｆ内に供給するようになっている。
給水管２０の先端部には、ロータンク本体１４ｃの内タンク１４ｆ内に洗浄水を給水する給水手段としてボールタップ２２が設けられている。このボールタップ２２には、アーム３０が取り付けられており、さらに、アーム３０の右端部にはフロート２４が取り付けられている。フロート２４が内タンク１４ｆ内の洗浄水の水位の変動に伴って上下動することにより、ボールタップ２２内の給水バルブ（図示せず）が開閉し、給水管２０から内タンク１４ｆ内への洗浄水の吐水及び止水が切り替えられるようになっている。
【００１８】
ボールタップ２２には、給水管２０とは別に手洗い給水管３２が分岐して設けられている。この手洗い給水管３２は、ボールタップ２２から分岐してロータンク本体１４ｃの側面に隣接して設けられた始端部３２ａから手洗い鉢１４ｄの高さを超える中間部３２ｂまで上方に起立して延びている。
また、手洗い給水管３２は、中間部３２ｂからその終端部である吐水口３２ｃにかけて、この吐水口３２ｃが手洗い鉢１４ｄの上方に位置するように、手洗い鉢１４ｄの排水孔１４ｇが形成される手洗い鉢１４ｄの中心方向に向かって延びており、蓋１４ｅの上面全体が手洗い鉢１４ｄとして利用できるようにロータンク本体１４ｃの側面から手洗い鉢１４ｄを迂回して配置されている。
【００１９】
さらに、図３に示すように、手洗い鉢１４ｄの外周は楕円形状を有している。この楕円形状の手洗い鉢１４ｄの最大横幅寸法ｌと最大奥行き寸法ｄを画定する寸法線をそれぞれＬ１、Ｌ２とすると、手洗い給水管３２の始端部３２ａから中間部３２ｂの部分は、これら寸法線Ｌ１、Ｌ２とロータンク本体１４ｃの側面１４ｈによって囲まれる領域Ａ内に配置されている。
すなわち、手洗い給水管３２の始端部３２ａから中間部３２ｂの部分は、手洗い鉢１４の横幅寸法と奥行き寸法との最大範囲内でロータンク本体１４ｃから起立している。
手洗い給水管３２より手洗い鉢１４ｄ内に吐水された水は排水孔１４ｇよりロータンク本体１４ｃの内タンク１４ｆ内に排水されるようになっている。
【００２０】
上述した本実施形態の水洗便器１によれば、蓋１４ｅの全面を手洗い鉢１４ｄとして利用できるため、手洗い行為もしやすい。図示しない開放された便座や便ふたを回避して使用者は手を手洗い鉢１４ｄ上にアプローチすることになるが、そのアプローチ方向は手洗い給水管３２と干渉することは無く、手洗い動作が行いやすいことになる。また、手洗い給水管３２がロータンク本体１４ｃの側面１４ｈから手洗い鉢１４ｄを迂回して配置されているため、メンテナンスの際には蓋１４ｅの開閉に気を使う必要がない。
また、本実施形態の水洗便器１によれば、手洗い鉢１４ｄの外周が楕円形状を有し、手洗い給水管３２が、楕円形状の手洗い鉢１４ｄの横幅寸法ｌと奥行き寸法ｄとの最大範囲内でロータンク本体１４ｃから起立しているため、トイレ空間の有効スペースを効果的に利用することができる。したがって、手洗い鉢１４ｄのスペースを確保しつつ、トイレ空間内の水洗便器１の前出寸法を極力抑えた手洗い鉢付のロータンク構造を備えた水洗便器を提供することができる。さらに、水洗便器１と手洗い給水管３２との一体感を損なうことなく、意匠性に優れたものとなる。
【図面の簡単な説明】
【００２１】
【図１】本発明の水洗便器の断面図である。
【図２】本発明の水洗便器のロータンクの内部を示す正面断面図である。
【図３】本発明の水洗便器のロータンクの平面図である。
【符号の説明】
【００２２】
１  水洗便器
１４  ロータンク
１４ｃ  ロータンク本体
１４ｄ  手洗い鉢
１４ｅ  蓋
１４ｆ  内タンク
２０  給水管
２２  ボールタップ
３２  手洗い給水管
【図１】
0005382603.tif 000002
【図２】
0005382603.tif 000003
【図３】
0005382603.tif 000004